(57)【特許請求の範囲】
【請求項１】
１つまたは複数の制御チャネルを送信するための少なくとも１つの物理リソースブロック（ＰＲＢ）ペアの複数のリソース要素を識別することと、
前記複数の識別されたリソース要素を１つまたは複数のグループに分割することと、
前記１つまたは複数のグループのうちの１つの該当グループにおける複数のリソース要素を同じトラフィック対パイロット比（ＴＰＲ）に制限することとを備える、ワイヤレス通信の方法。
【請求項２】
前記複数のリソース要素は前記該当グループにおける全てのリソース要素を含む、請求項１に記載の方法。
【請求項３】
前記ＴＰＲは第１のＴＰＲであり、前記該当グループは第１のグループであり、前記方法は、
前記１つまたは複数のグループからの第２のグループの複数のリソース要素を第２のＴＰＲに制限すること、前記第１のＴＰＲは前記第２のＴＰＲとは異なる、をさらに備える、請求項１に記載の方法。
【請求項４】
前記第１のグループは第１の制御チャネル送信に関連付けられ、前記第２のグループは第２の制御チャネル送信に関連付けられ、前記第２の制御チャネル送信は前記第１の制御チャネル送信とは異なる、請求項３に記載の方法。
【請求項５】
ＰＲＢペア内の全てのグループの全てのリソース要素は同じＴＰＲを有する、請求項１に記載の方法。
【請求項６】
前記分割することは、前記１つまたは複数のグループを複数の制御チャネル要素に分割することを含み、各制御チャネル要素はいくつかのグループを備える、
前記制限することは、前記複数の制御チャネル要素のうちの該当制御チャネル要素における各グループの複数のリソース要素を前記ＴＰＲに制限することを含む、請求項１に記載の方法。
【請求項７】
前記制限することは、前記該当制御チャネル要素における各グループの全てのリソース要素を前記ＴＰＲに制限することをさらに備える、請求項６に記載の方法。
【請求項８】
１つまたは複数の制御チャネルを送信するための少なくとも１つの物理リソースブロック（ＰＲＢ）ペアの複数のリソース要素を識別するための手段と、
前記複数の識別されたリソース要素を１つまたは複数のグループに分割するための手段と、
前記１つまたは複数のグループのうちの１つの該当グループにおける複数のリソース要素を同じトラフィック対パイロット比（ＴＰＲ）に制限するための手段とを備える、ワイヤレス通信のための装置。
【請求項９】
前記複数のリソース要素は前記該当グループにおける全てのリソース要素を含む、請求項８に記載の装置。
【請求項１０】
前記ＴＰＲは第１のＴＰＲであり、前記該当グループは第１のグループであり、制限するための前記手段は、
前記１つまたは複数のグループからの第２のグループの複数のリソース要素を第２のＴＰＲに制限すること、前記第１のＴＰＲは前記第２のＴＰＲとは異なる、を行うように構成され、
ここにおいて、前記第１のグループは第１の制御チャネル送信に関連付けられ、前記第２のグループは第２の制御チャネル送信に関連付けられ、前記第２の制御チャネル送信は前記第１の制御チャネル送信とは異なる、請求項８に記載の装置。
【請求項１１】
ＰＲＢペア内の全てのグループの全てのリソース要素は同じＴＰＲを有する、請求項８に記載の装置。
【請求項１２】
分割するための前記手段は、前記１つまたは複数のグループを複数の制御チャネル要素に分割するように構成され、各制御チャネル要素はいくつかのグループを備える、
制限するための前記手段は、前記複数の制御チャネル要素のうちの該当制御チャネル要素における各グループの複数のリソース要素を前記ＴＰＲに制限するように構成された、請求項８に記載の装置。
【請求項１３】
制限するための前記手段は、前記該当制御チャネル要素における各グループの全てのリソース要素を前記ＴＰＲに制限するように構成された、請求項１２に記載の装置。
【請求項１４】
前記ＴＰＲは第１のＴＰＲであり、前記該当制御チャネル要素は第１の制御チャネル要素であり、ここにおいて、制限するための前記手段は、前記複数の制御チャネル要素からの第２の制御チャネル要素の各グループの複数のリソース要素を第２のＴＰＲに制限するように構成され、前記第１のＴＰＲは前記第２のＴＰＲとは異なる、
ここにおいて、前記第１の制御チャネル要素は第１の制御チャネル送信に関連付けられ、前記第２の制御チャネル要素は第２の制御チャネル送信に関連付けられ、前記第２の制御チャネル送信は前記第１の制御チャネル送信とは異なる、請求項１２に記載の装置。
【請求項１５】
コンピュータ上で稼働されたとき、請求項１−７のうちのいずれかに従う方法を実行するための命令を備えるコンピュータプログラム。
【発明の詳細な説明】
【関連出願の相互参照】
【０００１】
[0001]  本出願は、２０１３年４月４日に出願された「TPR MANAGEMENT FOR EPDCCH IN LTE」と題する米国仮出願第６１／８０８，５９２号、および２０１４年３月６日に出願された「TPR MANAGEMENT FOR EPDCCH IN LTE」と題する米国非仮出願第１４／１９９，９９１号の利益を主張するもので、その全体が参照により本明細書に明確に組み込まれる。
【技術分野】
【０００２】
[0002]  本開示は一般に通信システムに関し、より詳細には、ＬＴＥ通信システムにおける拡張物理ダウンリンク制御チャネル（ＥＰＤＣＣＨ：enhanced physical downlink control channel）のためのトラフィック対パイロット比（ＴＰＲ：traffic-to-pilot ratio）を管理することに関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ：time division multiple acces）システム、周波数分割多元接続（ＦＤＭＡ：frequency division multiple access）システム、直交周波数分割多元接続（ＯＦＤＭＡ：orthogonal frequency division multiple access）システム、シングルキャリア周波数分割多元接続（ＳＣ−ＦＤＭＡ：single-carrier frequency division multiple access）システム、および時分割同期符号分割多元接続（ＴＤ−ＳＣＤＭＡ：time division synchronous code division multiple access）システムがある。
【０００４】
[0004]  これら多元接続技術は、異なるワイヤレスデバイスが都市、国家、地域、さらには地球規模で通信することを可能にする共通プロトコルを提供するために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、また、ダウンリンク（ＤＬ：downlink）上でＯＦＤＭＡを使用し、アップリンク（ＵＬ：uplink）上でＳＣ−ＦＤＭＡを使用し、多入力多出力（ＭＩＭＯ：multiple-input multiple-output）アンテナ技術を使用して他のオープン規格とより良く統合することによって、モバイルブロードバンドインターネットアクセスをより良くサポートするように設計される。しかしながら、モバイルブロードバンドアクセスに対する需要が増大し続けるにつれて、ＬＴＥ技術のさらなる改善が必要である。好ましくは、これら改善は、他の多元接続技術と、これら技術を採用する電気通信規格とに適用可能であるべきである。
【発明の概要】
【０００５】
[0005]  拡張物理ダウンリンク制御チャネル（ＥＰＤＣＣＨ）の場合、物理リソースブロック（ＰＲＢ：physical resource block）ペアの複数のリソース要素にわたる無制限のトラフィック対パイロット比（ＴＰＲ）変動が、干渉セルのＥＰＤＣＣＨに対してセル間／セル内干渉抑圧（ＩＳ：interference suppression）および／または干渉消去（ＩＣ：interference cancellation）を行うユーザ機器（ＵＥ：user equipment）の能力に対してこの変動が及ぼすことになる有害な影響のために問題になる。従って、ｅＮＢによるＥＰＤＣＣＨ管理に対して実際的制限をもたらすことなくＩＳ／ＩＣを可能にするために、ＴＰＲ制限がＥＰＤＣＣＨに対して課され得る。
【０００６】
[0006]  一態様では、ワイヤレス通信のための方法、装置、およびコンピュータプログラム製品が提供される。本装置は、１つまたは複数の制御チャネルを送信するための少なくとも１つのＰＲＢペアの複数のリソース要素を識別し、複数の識別されたリソース要素を１つまたは複数のグループに分割し、１つまたは複数のグループのうちの１つの該当グループにおける複数のリソース要素を１つのＴＰＲに制限する。
【図面の簡単な説明】
【０００７】
【図１】ネットワークアーキテクチャの一例を示す図である。
【図２】アクセスネットワークの一例を示す図である。
【図３】ＬＴＥにおけるＤＬフレーム構造の一例を示す図である。
【図４】ＬＴＥにおけるＵＬフレーム構造の一例を示す図である。
【図５】ユーザプレーンおよび制御プレーンのための無線プロトコルアーキテクチャの一例を示す図である。
【図６】アクセスネットワークにおける発展型ノードＢおよびユーザ機器の一例を示す図である。
【図７】異種ネットワークにおける範囲拡大セルラー領域を示す図である。
【図８】ＰＲＢペアのリソース要素にマッピングされた複数のＥＲＥＧを示す図である。
【図９】ＥＰＤＣＣＨのための利用可能なリソース要素の数を示す図である。
【図１０Ａ】ＰＲＢペア内のＥＣＣＥのＥＲＥＧのロケーションを示す図である。
【図１０Ｂ】複数のＰＲＢペアにわたるＥＣＣＥの複数のＥＲＥＧのロケーションを示す図である。
【図１１Ａ】ＣＳＩ−ＲＳリソースのないＥＣＣＥごとの利用可能なリソース要素の数を示す図である。
【図１１Ｂ】４つのポートの各々についての３つのＣＳＩ−ＲＳリソースの場合のＥＣＣＥごとの利用可能なリソース要素の数を示す図である。
【図１２】物理ダウンリンク共有チャネル（ＰＤＳＣＨ：physical downlink shared channel）のためのトラフィック対パイロット比（ＴＰＲ）を示す図である。
【図１３】ワイヤレス通信の方法のフローチャートである。
【図１４】例示的な装置における異なるモジュール／手段／構成要素間のデータフローを示す概念データフロー図である。
【図１５】処理システムを採用する装置のためのハードウェア実装形態の一例を示す図である。
【発明を実施するための形態】
【０００８】
[0024]  添付の図面に関して以下に示す発明を実施するための形態は、様々な構成を説明するものであり、本明細書で説明する概念が実施され得る唯一の構成を表すものでない。発明を実施するための形態は、様々な概念の完全な理解を与えるための具体的な詳細を含む。ただし、これら概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0025]  次に、電気通信システムのいくつかの態様が様々な装置および方法を参照して提示される。これら装置および方法について、以下の詳細な説明において説明し、（「要素」と総称される）様々なブロック、モジュール、構成要素、回路、ステップ、プロセス、アルゴリズムなどによって添付の図面に示す。これら要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１０】
[0026]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を行うように構成された他の好適なハードウェアがある。処理システムにおける１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0027]  従って、１つまたは複数の例示的な実施形態では、説明される機能が、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定でなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１２】
[0028]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ：Internet Protocol）サービス１２２とを含み得る。ＥＰＳは他のアクセスネットワークと相互接続できるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１３】
[0029]  Ｅ−ＵＴＲＡＮは、発展型ノードＢ（ｅＮＢ）１０６と他の複数のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（例えば、Ｘ２インターフェース）を介してこれら他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何か他の好適な用語で呼ばれることがある。ｅＮＢ１０６は、ＵＥ１０２にＥＰＣ１１０へのアクセスポイントを提供する。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（例えば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何か他の好適な用語で呼ばれることもある。
【００１４】
[0030]  ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。一般に、ＭＭＥ１１２はベアラおよび接続管理を行う。全てのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振り並びに他の機能を提供する。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとしての役割を果たし得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属する複数のｅＮＢ（例えば、１０６、１０８）にＭＢＭＳトラフィックを配信するために使用され得、セッション管理（開始／停止）と、ｅＭＢＭＳ関係の課金情報を収集することとを担当し得る。
【００１５】
[0031]  図２は、ＬＴＥネットワークアーキテクチャにおけるアクセスネットワーク２００の一例を示す図である。この例では、アクセスネットワーク２００が、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ：home eNB））、ピコセル、マイクロセル、またはリモートラジオヘッド（ＲＲＨ：remote radio head）であり得る。複数のマクロｅＮＢ２０４は各々該当セル２０２に割り当てられ、複数のセル２０２内の全てのＵＥ２０６にＥＰＣ１１０へのアクセスポイントを提供するように構成される。集中コントローラがこの例のアクセスネットワーク２００にないが、集中コントローラが代替構成で使用され得る。これらｅＮＢ２０４は、無線ベアラ制御、承認制御、モビリティ制御、スケジューリング、セキュリティ、およびサービングゲートウェイ１１６への接続性を含む全ての無線関係機能を担当する。ｅＮＢは、１つまたは複数の（例えば、３つの）セル（セクタとも呼ばれる）をサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では同義で使用され得る。
【００１６】
[0032]  アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これら概念は、他の変調および多元接続技法を採用する他の電気通信規格に容易に拡張され得る。例として、これら概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これら概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、並びに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載される。ＣＤＭＡ２０００およびＵＭＢは、３ＧＰＰ２団体からの文書に記載される。採用される実際のワイヤレス通信規格および多元接続技術は、特定の適用例およびシステムに課された全体的な設計制約に依存することになる。
【００１７】
[0033]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々はそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１８】
[0034]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0035]  以下の詳細な説明では、アクセスネットワークの様々な態様がＤＬ上でＯＦＤＭをサポートするＭＩＭＯシステムを参照して説明される。ＯＦＤＭは、ＯＦＤＭシンボルにおけるいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（例えば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0036]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックが、周波数領域内に１２個の連続するサブキャリアを含んでおり、各ＯＦＤＭシンボルにおけるノーマルサイクリックプレフィックスについて、時間領域内に７個の連続するＯＦＤＭシンボル、または８４個のリソース要素を含んでいる。拡張サイクリックプレフィックスについて、リソースブロックは、時間領域内に６個の連続ＯＦＤＭシンボルを含んでおり、７２個のリソース要素を有する。Ｒ３０２、３０４として示されるリソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。従って、ＵＥが受信するリソースブロックが多いほど、また変調方式が高いほど、ＵＥのデータレートが高くなる。
【００２１】
[0037]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション内に含まれない全てのリソースブロックを含み得る。ＵＬフレーム構造は、単一のＵＥがデータセクション内の連続するサブキャリアの全てに割り当てられることを可能にし得る連続サブキャリアを含むデータセクションをもたらす。
【００２２】
[0038]  ＵＥには、ｅＮＢに制御情報を送信するために、制御セクション内のリソースブロック４１０ａ、４１０ｂが割り当てられ得る。ＵＥには、ｅＮＢにデータを送信するために、データセクション内のリソースブロック４２０ａ、４２０ｂも割り当てられ得る。ＵＥは、制御セクション内の割り当てられたリソースブロック上の物理ＵＬ制御チャネル（ＰＵＣＣＨ：physical UL control channel）内で制御情報を送信し得る。ＵＥは、データセクション内の割り当てられたリソースブロック上の物理ＵＬ共有チャネル（ＰＵＳＣＨ：physical UL shared channel）内でデータのみまたはデータと制御情報の両方を送信し得る。ＵＬ送信は、サブフレームの両方のスロットにわたり得、周波数上でホッピングし得る。
【００２３】
[0039]  初期システムアクセスを行い、物理ランダムアクセスチャネル（ＰＲＡＣＨ：physical random access channel）４３０内でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）内でまたは少数の連続サブフレームのシーケンス内で搬送され、ＵＥは、フレーム（１０ｍｓ）ごとに単一のＰＲＡＣＨ試みだけを行うことができる。
【００２４】
[0040]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示される。レイヤ１（Ｌ１レイヤ）は最下位レイヤであり、様々な物理レイヤ信号処理機能を実装する。Ｌ１レイヤは本明細書において物理レイヤ５０６を指す。レイヤ２（Ｌ２レイヤ）５０８は、物理レイヤ５０６の上にあり、物理レイヤ５０６を介したＵＥとｅＮＢとの間のリンクを担当する。
【００２５】
[0041]  ユーザプレーンでは、Ｌ２レイヤ５０８が、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されないが、ＵＥは、ネットワーク側のＰＤＮゲートウェイ１１８において終端されるネットワークレイヤ（例えば、ＩＰレイヤ）と、接続の他端（例えば、ファーエンドＵＥ、サーバなど）において終端されるアプリケーションレイヤとを含むＬ２レイヤ５０８の上にいくつかの上位レイヤを有し得る。
【００２６】
[0042]  ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、複数のｅＮＢ間でのＵＥのためのハンドオーバサポートとを提供する。ＲＬＣサブレイヤ５１２は、上位レイヤデータパケットのセグメンテーションおよび再統合と、消失データパケットの再送信と、ハイブリッド自動再送要求（ＨＡＲＱ：hybrid automatic repeat request）による、順が狂った受信(out-of-order reception)を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（例えば、リソースブロック）を割り振ることを担当する。ＭＡＣサブレイヤ５１０はまたＨＡＲＱ動作を担当する。
【００２７】
[0043]  制御プレーンでは、制御プレーンのためのヘッダ圧縮機能がないことを除き、ＵＥおよびｅＮＢのための無線プロトコルアーキテクチャが物理レイヤ５０６およびＬ２レイヤ５０８について実質的に同じである。制御プレーンはまた、レイヤ３（Ｌ３レイヤ）内に無線リソース制御（ＲＲＣ：radio resource control）サブレイヤ５１６を含む。ＲＲＣサブレイヤ５１６は、無線リソース（例えば、無線ベアラ）を取得することと、ｅＮＢとＵＥとの間のＲＲＣシグナリングを使用して下位レイヤを構成することとを担当する。
【００２８】
[0044]  図６は、アクセスネットワークにおいてＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５が、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、消失パケットの再送信と、ＵＥ６５０へのシグナリングとを担当する。
【００２９】
[0045]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域内で基準信号（例えば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を決定するために、並びに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のために該当の空間ストリームでＲＦキャリアを変調し得る。
【００３０】
[0046]  ＵＥ６５０において、各受信機６５４ＲＸは、その該当のアンテナ６５２を通して信号を受信する。各受信機６５４ＲＸは、ＲＦキャリア上に変調された情報を復元して、この情報を受信機（ＲＸ）プロセッサ６５６に提供する。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を行い得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３１】
[0047]  コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９が、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上の全てのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３２】
[0048]  ＵＬでは、データソース６６７が、上位レイヤパケットをコントローラ／プロセッサ６５９に提供するために使用される。データソース６６７は、Ｌ２レイヤの上の全てのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、消失パケットの再送信、およびｅＮＢ６１０へのシグナリングを担当する。
【００３３】
[0049]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のために該当の空間ストリームでＲＦキャリアを変調し得る。
【００３４】
[0050]  ＵＬ送信は、ＵＥ６５０における受信機機能に関して説明した方法と同様の方法でｅＮＢ６１０において処理される。各受信機６１８ＲＸは、それの該当のアンテナ６２０を通して信号を受信する。各受信機６１８ＲＸは、ＲＦキャリア上で変調された情報を復元して、この情報をＲＸプロセッサ６７０に提供する。ＲＸプロセッサ６７０はＬ１レイヤを実装し得る。
【００３５】
[0051]  コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、制御／プロセッサ６７５が、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３６】
[0052]  図７は、異種ネットワークにおける範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって行われる干渉消去とによってセルラー領域７０２から拡張された範囲拡張セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡張されたセルラー領域７０３内のＵＥ７２０をサービスし、ＵＥ７２０が、範囲拡張されたセルラー領域７０３に入るとき、マクロｅＮＢ７１０ａからのＵＥ７２０のハンドオフを受け入れることが可能になる。
【００３７】
[0053]  一態様では、拡張物理ダウンリンク制御チャネル（ｅＰＤＣＣＨ）が物理リソースブロック（ＰＲＢ）のサブセットにおける送信のために構成され得る。これは、セル間／セル内干渉を低減するために複数のｅＮＢの間の協調を可能にする。ｅＰＤＣＣＨは、ロバストネスとシステム性能とを高めるためにマルチユーザダイバーシティおよびビームフォーミング利得を利用する。
【００３８】
[0054]  ＥＰＤＣＣＨの発展は、例えば、多地点協調（ＣｏＭＰ）、ダウンリンク多入力多出力（ＤＬ  ＭＩＭＯ）拡張、セル間干渉協調（ＩＣＩＣ）拡張、およびニューキャリアタイプを含む、ＬＴＥ  Ｒｅｌ−１１における複数の作業項目によって誘導された。ＥＰＤＣＣＨは周波数分割多重化（ＦＤＭ）に基づき得る。その上、復調基準信号（ＤＭ−ＲＳ：demodulation reference signal）ベースのＥＰＤＣＣＨがサポートされ得る。
【００３９】
[0055]  ＥＰＤＣＣＨのための２つの動作モード、すなわち、１）局所ＥＰＤＣＣＨ、および２）分散ＥＰＤＣＣＨがサポートされ得る。局所ＥＰＤＣＣＨでは、各物理リソースブロック（ＰＲＢ）ペアについて単一のプリコーダが適用され得る。分散ＥＰＤＣＣＨでは、２つのプリコーダが、各ＰＲＢペア内の割り振られたリソースを巡回し得る。
【００４０】
[0056]  図３に関して上記で説明したように、サブフレームは２つの連続するタイムスロットを含み、各タイムスロットはリソースブロックを含み得る。１つのリソースブロックは、合計８４個のリソース要素のために、周波数領域内の１２個の連続するサブキャリアと、各ＯＦＤＭシンボル内のノーマルサイクリックプレフィックスのために、時間領域内の７つの連続するＯＦＤＭシンボルとにマッピングされた複数のリソース要素に分割され得る。拡張サイクリックプレフィックスの場合、リソースブロックのリソース要素は、合計７２個のリソース要素のために、周波数領域内の１２個の連続するサブキャリアと時間領域内の６つの連続するＯＦＤＭシンボルとにマッピングされ得る。ＰＲＢペアは、サブフレームの２つの連続するタイムスロット内にそれぞれ含まれる２つのリソースブロックを指すことがある。従って、ＰＲＢペアは、周波数領域内の１２個の連続するサブキャリアと、合計１６８個のリソース要素（ノーマルサイクリックプレフィックス）または１４４個のリソース要素（拡張サイクリックプレフィックス）のために、時間領域内の１４個のＯＦＤＭシンボル（ノーマルサイクリックプレフィックス）または１２個のＯＦＤＭシンボル（拡張サイクリックプレフィックス）とにマッピングされた複数のリソース要素に分割され得る。
【００４１】
[0057]  ＥＰＤＣＣＨは、拡張リソース要素グループ（ＥＲＥＧ：enhanced resource element group）と拡張制御チャネル要素（ＥＣＣＥ：enhanced control channel element）とに基づいて構成され得る。
【００４２】
[0058]  ＥＲＥＧは次のように定義され得る。ＰＲＢペア内のＤＭ−ＲＳの最大の存在を仮定すると、ＤＭ−ＲＳを含んでいるリソース要素（ＲＥ：resource element）はＥＲＥＧから除外される。ＰＲＢペア内でＤＭ−ＲＳを含んでいないリソース要素がＥＲＥＧ内に含まれる。ノーマルサイクリックプレフィックスの場合、２４個のＤＭ−ＲＳリソース要素が存在する。拡張サイクリックプレフィックスの場合、１６個のＤＭ−ＲＳリソース要素が存在する。従って、ノーマルサイクリックプレフィックスの場合、ＥＲＥＧは１４４個のリソース要素（（１２個のキャリア×１４個のＯＦＤＭシンボル）−２４個のＤＭ−ＲＳ  ＲＥ＝１４４個のＲＥ）を含む。拡張サイクリックプレフィックスの場合、ＥＲＥＧは１２８個のリソース要素（（１２個のキャリア×１２個のＯＦＤＭシンボル）−１６個のＤＭ−ＲＳ  ＲＥ＝１２８個のＲＥ）を含む。
【００４３】
[0059]  サブフレームタイプ、サイクリックプレフィックスタイプ、ＰＲＢペアインデックス、サブフレームインデックスなどにかかわらず、ＰＲＢペアは１６個のＥＲＥＧに分割され得る。ノーマルサイクリックプレフィックスの場合、ＥＲＥＧは９つのリソース要素を含み得る。拡張サイクリックプレフィックスの場合、ＥＲＥＧは８つのリソース要素を含み得る。
【００４４】
[0060]  リソース要素へのＥＲＥＧのマッピングは、サイクリック／連続および周波数第１-時間第２（frequency-first-time-second）様式に従い得る。これは、ＥＲＥＧごとの利用可能なリソース要素の数を均等化することに有益である。
【００４５】
[0061]  図８は、ＰＲＢペアのリソース要素にマッピングされた複数のＥＲＥＧを示す図８００である。図８を参照すると、１６個のＥＲＥＧは、ＤＭ−ＲＳを含んでいるリソース要素を除いて、周波数第１-時間第２様式で１つのＰＲＢペアのリソース要素の間で連続的に定義される。図示のように、（ノーマルサイクリックプレフィックスの場合）１つのＥＲＥＧが９つのリソース要素にマッピングされる。同じＥＲＥＧに属するリソース要素は同じシェードパターンによって示される。
【００４６】
[0062]  図９は、ＥＰＤＣＣＨのための利用可能なリソース要素の数を示す図９００である。他の信号の存在により、ＥＰＤＣＣＨのための利用可能な複数のリソース要素（ＲＥ）の数は固定でなく、ＰＲＢペア内の異なる複数のＥＲＥＧについて異なることがある。例えば、図９００に示される値は、周波数シフト０をもつ２つのＣＲＳポートと、ノーマルサイクリックプレフィックス（ＣＰ）と、通常サブフレームおよびＣＳＩ−ＲＳなしと、異なるサブフレームタイプ（ＭＢＳＦＮ対非ＭＢＳＦＮサブフレーム）と、様々なレガシー制御領域サイズ（例えば、１つ、２つまたは３つの制御シンボル）とをとる。
【００４７】
[0063]  ＥＣＣＥは次のように定義され得る。ＥＣＣＥごとのＥＲＥＧの数はＮ＝４または８であり得る。Ｎは、ノーマルサイクリックプレフィックスおよび通常サブフレームまたは特殊サブフレーム構成３、４、８の場合（例えば、ＰＲＢペアごとのリソース要素の数が大きいとき、４に等しくなり得る。Ｎ＝４は、ＰＲＢペアごとの４つのＥＣＣＥに対応する。場合によっては、Ｎが、ＰＲＢペアごとの２つのＥＣＣＥに対応する８に等しい。
【００４８】
[0064]  ＥＣＣＥは、さらにＥＲＥＧグルーピングに基づく。局所ＥＰＤＣＣＨかまたは分散ＥＰＤＣＣＨかにかかわらず、４つのＥＲＥＧグループが形成され得る。例えば、グループ＃０はＥＲＥＧ｛０，４，８，１２｝を含み得、グループ＃１はＥＲＥＧ｛１，５，９，１３｝を含み得、グループ＃２はＥＲＥＧ｛２，６，１０，１４｝を含み得、グループ＃３はＥＲＥＧ｛３，７，１１，１５｝を含み得る。ＥＣＣＥが４つのＥＲＥＧによって形成されるとき、ＥＣＣＥは、１つのＥＲＥＧグループによって形成されると見なされる。ＥＣＣＥが８つのＥＲＥＧによって形成されるとき、ＥＣＣＥは、２つのＥＲＥＧグループによって形成されると見なされる。例えば、２つのＥＲＥＧグループはＥＲＥＧグループ＃０および＃２、またはＥＲＥＧグループ＃１および＃３であり得る。
【００４９】
[0065]  ＰＲＢペア内のＥＲＥＧグループの複数のＥＲＥＧのロケーションはＥＰＤＣＣＨモードに依存する。局所ＥＰＤＣＣＨの場合、同じグループの複数のＥＲＥＧは同じＰＲＢペア内にあり得る。分散ＥＰＤＣＣＨの場合、同じグループの複数のＥＲＥＧは異なる複数のＰＲＢペア内にあり得る。同じＥＲＥＧグループのこれらＥＲＥＧのロケーションの詳細なマッピングは、ＥＰＤＣＣＨのために構成されたＰＲＢペアの数に依存し得る。
【００５０】
[0066]  図１０Ａは、ＰＲＢペア内のＥＣＣＥのＥＲＥＧのロケーションを示す図１０００である。図１０Ａを参照すると、局所ＥＰＤＣＣＨの場合、各ＥＣＣＥは所与のＰＲＢペア（例えば、ＰＲＢペアｊ）内に定義される。図示のように、同じＥＣＣＥ（同じＥＲＥＧグループ）に属する複数のＥＲＥＧは同じシェードパターンによって示される。影つきボックス内の値はＥＲＥＧインデックスに対応する。
【００５１】
[0067]  図１０Ｂは、ＰＲＢペアにわたるＥＣＣＥの複数のＥＲＥＧのロケーションを示す図１０５０である。図１０Ｂを参照すると、分散ＥＰＤＣＣＨの場合、各ＥＣＣＥはＰＲＢペア（ＰＲＢペア０、ＰＲＢペア１、ＰＲＢペア２およびＰＲＢペア３）にわたって定義される。例えば、ＥＣＣＥ０は、ＰＲＢペア０のＥＲＥＧ０と、ＰＲＢペア１のＥＲＥＧ４と、ＰＲＢペア２のＥＲＥＧ８と、ＰＲＢペア３のＥＲＥＧ１２とを備える。本例の４つのＰＲＢペアは、周波数が連続していないことがある。従って、ＥＣＣＥの複数のＥＲＥＧを含む複数のＰＲＢペアは周波数分散型であり得る。
【００５２】
[0068]  図１１Ａは、ＣＳＩ−ＲＳリソースのないＥＣＣＥごとの利用可能なリソース要素の数を示す図１１００である。図１１Ｂは、４つのポートの各々についての３つのＣＳＩ−ＲＳリソースの場合のＥＣＣＥごとの利用可能なリソース要素の数を示す図１１５０である。図１１Ａおよび図１１Ｂを参照すると、ＥＲＥＧと同様に、ＥＰＤＣＣＨのためのＥＣＣＥごとの利用可能なリソース要素の数は固定でなく、異なるＥＣＣＥについて異なることがある。しかしながら、ＥＲＥＧグルーピングに基づいてＥＣＣＥを定義することは、ＥＣＣＥごとの利用可能なリソース要素の数を均等化することを助ける。
【００５３】
[0069]  一態様では、各ＵＥが、最高Ｋ＝２つのＥＰＤＣＣＨリソースセットで構成され得、ただし、各リソースセットは、１）Ｍ＝２つ、４つ、または８つのＰＲＢペアで別個に構成されるか、および／あるいは２）局所モードまたは分散モードのいずれかで別個に構成される。
【００５４】
[0070]  局所ＥＰＤＣＣＨおよび／または分散ＥＰＤＣＣＨのための探索空間では、所与のアグリゲーションレベル（ＡＬ）の候補が、ＥＰＤＣＣＨのためのサブバンドスケジューリングをできる限り活用するために、できる限り多くの異なるＰＲＢペア内で離間させられる。
【００５５】
[0071]  ＬＴＥ  Ｒｅｌ−１１では、ＵＥに知られている他の信号によって占有されるリソース要素がＥＰＤＣＣＨによってレートマッチングされる。他の信号は、例えば、レガシー制御領域信号、ＣＲＳ、およびＵＥ固有構成（UE-specifically configured）ＣＳＩ−ＲＳを含み得る。
【００５６】
[0072]  図１２は、物理ダウンリンク共有チャネル（ＰＤＳＣＨ）のためのトラフィック対パイロット比（ＴＰＲ）を示す図１２００である。図１２を参照すると、ＵＥ−ＲＳベースのＰＤＳＣＨについてのトラフィック対パイロット比が記載され得る。ＵＥ−ＲＳを含んでいるシンボルでは、２よりも小さいかまたはそれに等しい送信レイヤの数の場合、ＵＥ固有のＲＳリソース要素単位エネルギー（ＥＰＲＥ：energy per resource element）に対するＰＤＳＣＨ  ＥＰＲＥの比が０ｄＢであるとＵＥが仮定し得る。他の場合、比は−３ｄＢである。異なるシンボルにわたって、比は、ρ＿Ａ／ρ＿Ｂの値にマッピングされたセル固有パラメータＰ＿Ｂによって左右され、ただし、Ｐ＿Ｂは、４つの可能な値を示す、２ビット長であり得る。
【００５７】
[0073]  ＥＰＤＣＣＨのためのＴＰＲはリソース要素ごとに変動し得る。しかしながら、ＥＰＤＣＣＨに対するＴＰＲ制限を有しないことは問題になる。例えば、複数のリソース要素にわたる無制限のＴＰＲ変動はセル間／セル内干渉抑圧（ＩＳ）および／または干渉消去（ＩＣ）にとって有害であり得る。当該のＵＥは、（例えば、ＥＰＤＣＣＨのためのＭＵ−ＭＩＭＯ動作により）干渉セルのＥＰＤＣＣＨまたは同じセル内のＥＰＤＣＣＨのためのＩＳ／ＩＣを検出して行い得る。従って、ｅＮＢによるＥＰＤＣＣＨ管理に対する実際的制限を生じることなしにＩＳ／ＩＣを可能にするために、ＥＰＤＣＣＨに対して効率的にＴＰＲ制限を課すことが有利である。
【００５８】
[0074]  一態様では、ＯＦＤＭシンボルにかかわらず、ＥＰＤＣＣＨのためのＥＲＥＧまたはＥＣＣＥ内の複数のリソース要素にわたってＴＰＲが同じＴＰＲになるように制限され得る。例えば、ノーマルサイクリックプレフィックスおよびＥＲＥＧごとの９つのリソース要素の場合、ＥＰＤＣＣＨのための９つのリソース要素のうちのリソース要素は同じＴＰＲを有することになる。９つのリソース要素のうちのいくつかが（例えば、前に説明したように他の信号の存在により）ＥＰＤＣＣＨのために利用可能でないことがあることに留意されたい。ＥＰＤＣＣＨのために利用不可能なＥＲＥＧ内のこれらリソース要素は、ＥＰＤＣＣＨのためのＥＲＥＧ内のリソース要素のためのＴＰＲと同じＴＰＲを有することも有しないこともある。同じＥＰＤＣＣＨの複数のＥＲＥＧにわたって、ＴＰＲが変動し得る。
【００５９】
[0075]  代替的に、ＴＰＲ変動は、異なるＰＲＢペアにわたってさらに制限され得る。すなわち、同じＥＰＤＣＣＨのための同じＰＲＢペアの全てのＥＲＥＧは同じＴＰＲを有することになる。しかしながら、同じＥＰＤＣＣＨのための異なるＰＲＢペアにわたって、ＴＰＲは変動し得る。
【００６０】
[0076]  別の代替では、ＴＰＲ変動が、異なる複数のＥＲＥＧグループ（またはＥＣＣＥ）にわたって制限され得る。局所ＥＰＤＣＣＨの場合、同じＥＲＥＧグループ（同じＥＣＣＥ）のＥＲＥＧは同じＰＲＢペア内にある。分散ＥＰＤＣＣＨの場合、同じＥＲＥＧグループ（同じＥＣＣＥ）のＥＲＥＧは複数のＰＲＢペアにわたって分散される。例えば、図１０Ｂを参照すると、ＥＰＤＣＣＨのためのＰＲＢペア０のＥＲＥＧ０と、ＰＲＢペア１のＥＲＥＧ４と、ＰＲＢペア２のＥＲＥＧ８と、ＰＲＢペア３のＥＲＥＧ１２とが同じＥＲＥＧグループ（同じＥＣＣＥ）のものであるので、ＵＥは、これらＥＲＥＧが同じＴＰＲのものであると仮定し得る。同じＴＰＲが使用される場合、ＴＰＲは同じＥＰＤＣＣＨのために使用されることになる。
【００６１】
[0077]  一態様では、どのＰＲＢペアが分散ＥＰＤＣＣＨに関連付けられるかをＵＥが示され／通知され得る。これは、ＵＥが同じグループの複数のＥＲＥＧを決定することを可能にする。
【００６２】
[0078]  一態様では、ＥＰＤＣＣＨのためのＯＦＤＭシンボル内の複数のリソース要素にわたってＴＰＲが同じＴＰＲになるように制限され得る。しかしながら、ＴＰＲは、異なる複数のＯＦＤＭシンボルにわたって変動し得る。例えば、ＥＰＤＣＣＨは、第１のＴＰＲの第１のＯＦＤＭシンボル内に（４つのＰＲＢペアにわたって）６つのリソース要素を有し、第２のＴＰＲの第２のＯＦＤＭシンボル内に（４つのＰＲＢペアにわたって）２つのリソース要素を有し得る。その上、第１のＴＰＲは第２のＴＰＲとは異なり得る。
【００６３】
[0079]  異なる複数のＯＦＤＭシンボルにおけるＴＰＲ間の比はランダムでないことがある。比は（１つまたは複数の）ある値によって左右され得る。例えば、ＰＤＳＣＨと同様に、ＣＲＳシンボルにおけるＴＰＲと非ＣＲＳシンボルにおけるＴＰＲとの間の比はＰ＿Ｂによって左右され得る（図１２および対応する説明を参照）。他のソリューション、例えば、３つ以上のパターンに対処する２つまたはそれ以上の比が可能であり得る。
【００６４】
[0080]  同じシンボル内で、同じＴＰＲは、同じＥＲＥＧ、同じＥＣＣＥ（または同じＥＲＥＧグループ）、同じＰＲＢペア、またはＥＰＤＣＣＨに関連付けられた全てのリソース要素内にあり得る。
【００６５】
[0081]  一態様では、サービングセルおよび／または非サービングセルが、サービングセルおよび／または非サービングセルのＥＰＤＣＣＨのためのＴＰＲ動作をＵＥに示し得る。サービングセルおよび／または（１つまたは複数の）非サービングセルのＥＰＤＣＣＨのためのＴＰＲ動作のための指示は別々にまたは一緒にコーディングされ得る。単一のＴＰＲ動作（例えば、ＥＲＥＧベースのＴＰＲ動作）あるいは２つまたはそれ以上のＴＰＲ動作がセルによって採用され得る。指示はブロードキャストまたはユニキャストされ得る。指示はＵＥのためのサービングセルまたは非サービングセルからであり得る。そのような指示がない場合、ＵＥは、デフォルト動作（例えば、ＥＲＥＧベースのＴＰＲ動作）を仮定するか、あるいは２つまたはそれ以上の動作がセルのために可能である場合にどの動作が使用中であるかをブラインド検出し得る。
【００６６】
[0082]  図１３は、ワイヤレス通信の方法のフローチャート１３００である。本方法はｅＮＢによって行われ得る。ステップ１３０２において、ｅＮＢは、１つまたは複数の制御チャネル（例えば、１つまたは複数ＥＰＤＣＣＨ）を送信するための少なくとも１つの物理リソースブロック（ＰＲＢ）ペアの複数のリソース要素を識別する。少なくとも１つのＰＲＢペアは、制御チャネル送信のために割り振られない少なくとも１つのリソース要素を含み得る。
【００６７】
[0083]  ステップ１３０４において、ｅＮＢは、複数の識別されたリソース要素を１つまたは複数のグループ（例えば、ＥＲＥＧ）に分割する。ステップ１３０６において、ｅＮＢは、１つまたは複数のグループのうちの該当グループにおける複数のリソース要素を１つのトラフィック対パイロット比（ＴＰＲ）（例えば、同じＴＰＲ）に制限する。ステップ１３０４において、ｅＮＢは制限をユーザ機器（ＵＥ）に通知する。
【００６８】
[0084]  一態様では、複数のリソース要素が、該当グループにおける全てのリソース要素を含み得る。別の態様では、ＰＲＢペア内の全てのグループの全てのリソース要素が同じＴＰＲを有し得る。さらなる態様では、このＴＰＲが第１のＴＰＲであり、該当グループが第１のグループである。従って、ｅＮＢは、１つまたは複数のグループからの第２のグループの複数のリソース要素を第２のＴＰＲに制限し得、ここにおいて、第１のＴＰＲは第２のＴＰＲとは異なる。その上、第１のグループは第１の制御チャネル送信に関連付けられ得、第２のグループは第２の制御チャネル送信に関連付けられ得、第２の制御チャネル送信は第１の制御チャネル送信とは異なり得る。
【００６９】
[0085]  一態様では、ｅＮＢが１つまたは複数のグループを複数の制御チャネル要素（例えば、ＥＣＣＥ）に分割し得る。各制御チャネル要素はいくつかのグループ（例えば、ＥＲＥＧ）を含み得る。従って、ｅＮＢは、複数の制御チャネル要素のうちの１つの該当制御チャネル要素における各グループの複数のリソース要素を１つのＴＰＲに制限し得る。ｅＮＢは、さらに、該当制御チャネル要素における各グループの全てのリソース要素をこのＴＰＲに制限し得る。
【００７０】
[0086]  一態様では、このＴＰＲが第１のＴＰＲであり、該当制御チャネル要素が第１の制御チャネル要素である。従って、ｅＮＢは、複数の制御チャネル要素からの第２の制御チャネル要素の各グループの複数のリソース要素を第２のＴＰＲに制限し得、ここにおいて、第１のＴＰＲは第２のＴＰＲとは異なり得る。第１の制御チャネル要素は第１の制御チャネル送信に関連付けられ得、第２の制御チャネル要素は第２の制御チャネル送信に関連付けられ得、第２の制御チャネル送信は第１の制御チャネル送信とは異なり得る。
【００７１】
[0087]  一態様では、制御チャネル要素のグループが、局所ＥＰＤＣＣＨのための場合など、同じＰＲＢペア内にあり得る。代替的に、制御チャネル要素のグループは、分散ＥＰＤＣＣＨのための場合など、複数のＰＲＢペアにわたって分散され得る。従って、ステップ１３０８において、ｅＮＢはまた、制御チャネル要素の分散されたグループに関連付けられたＰＲＢペアのセットをＵＥに通知する。
【００７２】
[0088]  一態様では、同じＴＰＲを有する複数のリソース要素が、少なくとも１つのＰＲＢペアの同じシンボル持続時間をもつ。少なくとも１つのＰＲＢペアの第１のシンボル持続時間の複数のリソース要素は第１のＴＰＲを有し得、少なくとも１つのＰＲＢペアの第２のシンボル持続時間の複数のリソース要素は第２のＴＰＲを有し得、第１のＴＰＲは第２のＴＰＲとは異なり得る。第１のＴＰＲと第２のＴＰＲとの間の比は値に基づき得、ここにおいて、この値はセルごとに決定される。
【００７３】
[0089]  図１４は、例示的な装置１４０２における異なるモジュール／手段／構成要素間のデータフローを示す概念データフロー図１４００である。本装置はｅＮＢであり得る。本装置は、受信モジュール１４０４と、リソース予約モジュール１４０６と、リソース分割モジュール１４０８と、ＴＰＲ制限モジュール１４１０と、送信モジュール１４１２とを含む。
【００７４】
[0090]  受信モジュール１４０４はＵＥ１４５０から信号を受信し得る。リソース識別モジュール１４０６は、１つまたは複数の制御チャネル（例えば、１つまたは複数のＥＰＤＣＣＨ）を送信するための少なくとも１つの物理リソースブロック（ＰＲＢ）ペアの複数のリソース要素を識別する。少なくとも１つのＰＲＢペアは、制御チャネル送信のために割り振られない少なくとも１つのリソース要素を含み得る。
【００７５】
[0091]  リソース分割モジュール１４０８は複数の識別されたリソース要素を１つまたは複数のグループ（例えば、ＥＲＥＧ）に分割する。ＴＰＲ制限モジュール１４１０は、１つまたは複数のグループのうちの該当グループにおける複数のリソース要素を１つのトラフィック対パイロット比（ＴＰＲ）（例えば、同じＴＰＲ）に制限する。制限モジュール１４１０は（送信モジュール１４１２を介して）制限をＵＥ１４５０に通知し得る。
【００７６】
[0092]  一態様では、複数のリソース要素が、該当グループにおける全てのリソース要素を含み得る。別の態様では、ＰＲＢペア内の全てのグループの全てのリソース要素が同じＴＰＲを有し得る。さらなる態様では、このＴＰＲが第１のＴＰＲであり、該当グループが第１のグループである。従って、ＴＰＲ制限モジュール１４１０は、１つまたは複数のグループからの第２のグループの複数のリソース要素を第２のＴＰＲに制限し得、ここにおいて、第１のＴＰＲは第２のＴＰＲとは異なる。その上、第１のグループは第１の制御チャネル送信に関連付けられ得、第２のグループは第２の制御チャネル送信に関連付けられ得、第２の制御チャネル送信は第１の制御チャネル送信とは異なり得る。
【００７７】
[0093]  一態様では、リソース分割モジュール１４０８が１つまたは複数のグループを複数の制御チャネル要素（例えば、ＥＣＣＥ）に分割し得る。各制御チャネル要素はいくつかのグループ（例えば、ＥＲＥＧ）を含み得る。従って、ＴＰＲ制限モジュール１４１０は、複数の制御チャネル要素の該当制御チャネル要素における各グループの複数のリソース要素をこのＴＰＲに制限し得る。ＴＰＲ制限モジュール１４１０は、該当制御チャネル要素における各グループの全てのリソース要素をこのＴＰＲにさらに制限し得る。
【００７８】
[0094]  一態様では、このＴＰＲが第１のＴＰＲであり、該当制御チャネル要素が第１の制御チャネル要素である。従って、ＴＰＲ制限モジュール１４１０は、複数の制御チャネル要素からの第２の制御チャネル要素の各グループの複数のリソース要素を第２のＴＰＲに制限し、ここにおいて、第１のＴＰＲは第２のＴＰＲとは異なり得る。第１の制御チャネル要素は第１の制御チャネル送信に関連付けられ得、第２の制御チャネル要素は第２の制御チャネル送信に関連付けられ得、第２の制御チャネル送信は第１の制御チャネル送信とは異なり得る。
【００７９】
[0095]  一態様では、制御チャネル要素のグループが、局所ＥＰＤＣＣＨのための場合など、同じＰＲＢペア内にあり得る。代替的に、制御チャネル要素のグループは、分散ＥＰＤＣＣＨのための場合など、複数のＰＲＢペアにわたって分散され得る。従って、リソース分割モジュール１４０８は、制御チャネル要素の分散されたグループに関連付けられたＰＲＢペアのセットをＵＥ１４５０に（送信モジュール１４１２を介して）通知し得る。
【００８０】
[0096]  一態様では、同じＴＰＲを有する複数のリソース要素が、少なくとも１つのＰＲＢペアの同じシンボル持続時間をもつ。少なくとも１つのＰＲＢペアの第１のシンボル持続時間の複数のリソース要素は第１のＴＰＲを有し得、少なくとも１つのＰＲＢペアの第２のシンボル持続時間の複数のリソース要素は第２のＴＰＲを有し得、第１のＴＰＲは第２のＴＰＲとは異なり得る。第１のＴＰＲと第２のＴＰＲとの間の比は値に基づき得、ここにおいて、値はセルごとに決定される。
【００８１】
[0097]  本装置は、図１３の上述のフローチャートにおけるアルゴリズムのステップの各々を行う追加のモジュールを含み得る。従って、図１３の上述のフローチャートにおける各ステップは１つのモジュールによって行われ得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを行うように構成されたプロセッサによって実装されるか、プロセッサによる実装のためにコンピュータ可読媒体内に記憶されるか、またはそれらの何らかの組合せであり得る。
【００８２】
[0098]  図１５は、処理システム１５１４を採用する装置１４０２’のためのハードウェア実装形態の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４によって表される１つまたは複数のプロセッサおよび／またはハードウェアモジュールと、モジュール１４０４、１４０６、１４０８、１４１０、１４１２と、コンピュータ可読媒体１５０６とを含む様々な回路を互いにリンクする。バス１５２４はまた、タイミングソース、周辺機器、電圧調整器、および電力管理回路など、様々な他の回路をリンクし得るが、これら回路は当技術分野においてよく知られており、従って、これ以上説明しない。
【００８３】
[0099]  処理システム１５１４はトランシーバ１５１０に結合され得る。トランシーバ１５１０は、１つまたは複数のアンテナ１５２０に結合される。トランシーバ１５１０は、伝送媒体を介して様々な他の装置と通信するための手段を提供する。トランシーバ１５１０は、１つまたは複数のアンテナ１５２０から信号を受信し、受信された信号から情報を抽出し、抽出された情報を処理システム１５１４、特に受信モジュール１４０４に提供する。さらに、トランシーバ１５１０は、処理システム１５１４、特に送信モジュール１４１２から情報を受信し、受信された情報に基づいて、１つまたは複数のアンテナ１５２０に適用されるべき信号を生成する。処理システム１５１４は、コンピュータ可読媒体１５０６に結合されたプロセッサ１５０４を含む。プロセッサ１５０４は、コンピュータ可読媒体１５０６に記憶されたソフトウェアの実行を含む一般的な処理を担当する。ソフトウェアは、プロセッサ１５０４によって実行されたとき、処理システム１５１４に、任意の特定の装置のための上記で説明した様々な機能を行わせる。コンピュータ可読媒体１５０６はまた、ソフトウェアを実行するときにプロセッサ１５０４によって操作されるデータを記憶するために使用され得る。処理システムは、モジュール１４０４、１４０６、１４０８、１４１０、および１４１２のうちの少なくとも１つをさらに含む。これらモジュールは、プロセッサ１５０４において稼働し、コンピュータ可読媒体１５０６内に常駐／記憶された、ソフトウェアモジュールであるか、プロセッサ１５０４に結合された１つまたは複数のハードウェアモジュールであるか、またはそれらの何らかの組合せであり得る。処理システム１５１４は、ｅＮＢ６１０の構成要素であり得、メモリ６７６および／またはＴＸプロセッサ６１６と、ＲＸプロセッサ６７０と、コントローラ／プロセッサ６７５とのうちの少なくとも１つを含み得る。
【００８４】
[00100]  一構成では、ワイヤレス通信のための装置１４０２／１４０２’が、１つまたは複数の制御チャネルを送信するために少なくとも１つの物理リソースブロック（ＰＲＢ）ペアの複数のリソース要素を予約するための手段と、複数の予約済みリソース要素を複数のグループに分割するための手段と、複数のグループのうちの該当グループのトラフィック対パイロット比（ＴＰＲ）を該当グループにおける複数のリソース要素にわたって同じになるように制限するための手段と、制限をユーザ機器（ＵＥ）に通知するための手段と、制御チャネル要素の分散されたグループに関連付けられたＰＲＢペアのセットをＵＥに通知するための手段とを含む。
【００８５】
[00101]  上述の手段は、上述の手段で記載された機能を行うように構成された、装置１４０２、および／または装置１４０２’の処理システム１５１４の上述のモジュールのうちの１つまたは複数であり得る。上記で説明したように、処理システム１５１４は、ＴＸプロセッサ６１６、ＲＸプロセッサ６７０、およびコントローラ／プロセッサ６７５を含み得る。従って、一構成では、上述の手段が、上述の手段で記載された機能を行うように構成されたＴＸプロセッサ６１６、ＲＸプロセッサ６７０、およびコントローラ／プロセッサ６７５であり得る。
【００８６】
[00102]  開示したプロセスにおける複数のステップの特定の順序または階層は、例示的な手法の一例であることを理解されたい。設計上の選好に基づいて、プロセスにおける複数のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものでない。
【００８７】
[00103]  以上の説明は、当業者が本明細書で説明された様々な態様を実践することを可能にするために提供される。これら態様に対する様々な変更は当業者には容易に明らかであり、本明細書で定義された一般原理は他の態様に適用され得る。従って、特許請求の範囲は、本明細書に示された態様に限定されるものでなく、特許請求の言い回しに矛盾しない全範囲を与えられるべきであり、単数形の要素への言及は、そのように明記されない限り、「唯一無二の」を意味するものでなく、「１つまたは複数の」を意味するものである。別段に明記されない限り、「いくつかの」という語は１つまたは複数を指す。「Ａ、Ｂ、またはＣのうちの少なくとも１つ」、「Ａ、Ｂ、およびＣのうちの少なくとも１つ」、並びに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素の全ての構造的および機能的均等物は、参照により本明細書に明確に組み込まれ、特許請求の範囲に包含されるものである。その上、本明細書で開示されたいかなることも、そのような開示が特許請求の範囲に明示的に記載されたかどうかにかかわらず、公に供されるものでない。いかなるクレーム要素も、その要素が「ための手段」という語句を使用して明確に記載されない限り、ミーンズプラスファンクションとして解釈されるべきでない。
以下に、本願出願の当初の特許請求の範囲に記載された発明を付記する。
［Ｃ１］
１つまたは複数の制御チャネルを送信するための少なくとも１つの物理リソースブロック（ＰＲＢ）ペアの複数のリソース要素を識別することと、
前記複数の識別されたリソース要素を１つまたは複数のグループに分割することと、
前記１つまたは複数のグループのうちの１つの該当グループにおける複数のリソース要素を１つのトラフィック対パイロット比（ＴＰＲ）に制限することとを備える、ワイヤレス通信の方法。
［Ｃ２］
前記複数のリソース要素は前記該当グループにおける全てのリソース要素を含む、Ｃ１に記載の方法。
［Ｃ３］
前記ＴＰＲは第１のＴＰＲであり、前記該当グループは第１のグループであり、前記方法は、
前記１つまたは複数のグループからの第２のグループの複数のリソース要素を第２のＴＰＲに制限すること、前記第１のＴＰＲは前記第２のＴＰＲとは異なる、をさらに備える、Ｃ１に記載の方法。
［Ｃ４］
前記第１のグループは第１の制御チャネル送信に関連付けられ、前記第２のグループは第２の制御チャネル送信に関連付けられ、前記第２の制御チャネル送信は前記第１の制御チャネル送信とは異なる、Ｃ３に記載の方法。
［Ｃ５］
ＰＲＢペア内の全てのグループの全てのリソース要素は同じＴＰＲを有する、Ｃ１に記載の方法。
［Ｃ６］
前記分割することは、前記１つまたは複数のグループを複数の制御チャネル要素に分割することを含み、各制御チャネル要素はいくつかのグループを備える、
前記制限することは、前記複数の制御チャネル要素のうちの該当制御チャネル要素における各グループの複数のリソース要素を前記ＴＰＲに制限することを含む、Ｃ１に記載の方法。
［Ｃ７］
前記制限することは、前記該当制御チャネル要素における各グループの全てのリソース要素を前記ＴＰＲに制限することをさらに備える、Ｃ６に記載の方法。
［Ｃ８］
前記ＴＰＲは第１のＴＰＲであり、前記該当制御チャネル要素は第１の制御チャネル要素であり、前記方法は、
前記複数の制御チャネル要素からの第２の制御チャネル要素の各グループの複数のリソース要素を第２のＴＰＲに制限すること、前記第１のＴＰＲは前記第２のＴＰＲとは異なる、をさらに備える、Ｃ６に記載の方法。
［Ｃ９］
前記第１の制御チャネル要素は第１の制御チャネル送信に関連付けられ、前記第２の制御チャネル要素は第２の制御チャネル送信に関連付けられ、前記第２の制御チャネル送信は前記第１の制御チャネル送信とは異なる、Ｃ８に記載の方法。
［Ｃ１０］
制御チャネル要素の前記グループは同じＰＲＢペア内にある、Ｃ６に記載の方法。
［Ｃ１１］
制御チャネル要素の前記グループは複数のＰＲＢペアにわたって分散される、Ｃ６に記載の方法。
［Ｃ１２］
制御チャネル要素の分散されたグループに関連付けられたＰＲＢペアのセットをユーザ機器（ＵＥ）に通知することをさらに備える、Ｃ１１に記載の方法。
［Ｃ１３］
同じＴＰＲを有する前記複数のリソース要素は、前記少なくとも１つのＰＲＢペアの同じシンボル持続時間をもつ、Ｃ１に記載の方法。
［Ｃ１４］
前記少なくとも１つのＰＲＢペアの第１のシンボル持続時間の複数のリソース要素は第１のＴＰＲを有し、前記少なくとも１つのＰＲＢペアの第２のシンボル持続時間の複数のリソース要素は第２のＴＰＲを有し、前記第１のＴＰＲは前記第２のＴＰＲとは異なる、Ｃ１３に記載の方法。
［Ｃ１５］
前記第１のＴＰＲと前記第２のＴＰＲとの間の比は値に基づき、前記値はセルごとに決定される、Ｃ１４に記載の方法。
［Ｃ１６］
前記制限をユーザ機器（ＵＥ）に通知することをさらに備える、Ｃ１に記載の方法。
［Ｃ１７］
前記少なくとも１つのＰＲＢペアは、制御チャネル送信のために割り振られない少なくとも１つのリソース要素を備える、Ｃ１に記載の方法。
［Ｃ１８］
１つまたは複数の制御チャネルを送信するための少なくとも１つの物理リソースブロック（ＰＲＢ）ペアの複数のリソース要素を識別するための手段と、
前記複数の識別されたリソース要素を１つまたは複数のグループに分割するための手段と、
前記１つまたは複数のグループのうちの１つの該当グループにおける複数のリソース要素を１つのトラフィック対パイロット比（ＴＰＲ）に制限するための手段とを備える、ワイヤレス通信のための装置。
［Ｃ１９］
前記複数のリソース要素は前記該当グループにおける全てのリソース要素を含む、Ｃ１８に記載の装置。
［Ｃ２０］
前記ＴＰＲは第１のＴＰＲであり、前記該当グループは第１のグループであり、制限するための前記手段は、
前記１つまたは複数のグループからの第２のグループの複数のリソース要素を第２のＴＰＲに制限すること、前記第１のＴＰＲは前記第２のＴＰＲとは異なる、を行うように構成され、
ここにおいて、前記第１のグループは第１の制御チャネル送信に関連付けられ、前記第２のグループは第２の制御チャネル送信に関連付けられ、前記第２の制御チャネル送信は前記第１の制御チャネル送信とは異なる、Ｃ１８に記載の装置。
［Ｃ２１］
ＰＲＢペア内の全てのグループの全てのリソース要素は同じＴＰＲを有する、Ｃ１８に記載の装置。
［Ｃ２２］
分割するための前記手段は、前記１つまたは複数のグループを複数の制御チャネル要素に分割するように構成され、各制御チャネル要素はいくつかのグループを備える、
制限するための前記手段は、前記複数の制御チャネル要素のうちの該当制御チャネル要素における各グループの複数のリソース要素を前記ＴＰＲに制限するように構成された、Ｃ１８に記載の装置。
［Ｃ２３］
制限するための前記手段は、前記該当制御チャネル要素における各グループの全てのリソース要素を前記ＴＰＲに制限するように構成された、Ｃ２２に記載の装置。
［Ｃ２４］
前記ＴＰＲは第１のＴＰＲであり、前記該当制御チャネル要素は第１の制御チャネル要素であり、ここにおいて、制限するための前記手段は、前記複数の制御チャネル要素からの第２の制御チャネル要素の各グループの複数のリソース要素を第２のＴＰＲに制限するように構成され、前記第１のＴＰＲは前記第２のＴＰＲとは異なる、
ここにおいて、前記第１の制御チャネル要素は第１の制御チャネル送信に関連付けられ、前記第２の制御チャネル要素は第２の制御チャネル送信に関連付けられ、前記第２の制御チャネル送信は前記第１の制御チャネル送信とは異なる、Ｃ２２に記載の装置。
［Ｃ２５］
制御チャネル要素の前記グループは同じＰＲＢペア内にあるか、または複数のＰＲＢペアにわたって分散され、前記装置は、制御チャネル要素の分散されたグループに関連付けられたＰＲＢペアのセットをユーザ機器（ＵＥ）に通知するための手段をさらに備える、Ｃ２２に記載の装置。
［Ｃ２６］
同じＴＰＲを有する前記複数のリソース要素は、前記少なくとも１つのＰＲＢペアの同じシンボル持続時間をもち、
ここにおいて、前記少なくとも１つのＰＲＢペアの第１のシンボル持続時間の複数のリソース要素は第１のＴＰＲを有し、前記少なくとも１つのＰＲＢペアの第２のシンボル持続時間の複数のリソース要素は第２のＴＰＲを有し、前記第１のＴＰＲは前記第２のＴＰＲとは異なる、
ここにおいて、前記第１のＴＰＲと前記第２のＴＰＲとの間の比は値に基づき、前記値はセルごとに決定される、Ｃ１８に記載の装置。
［Ｃ２７］
前記制限をユーザ機器（ＵＥ）に通知するための手段をさらに備える、Ｃ１８に記載の装置。
［Ｃ２８］
前記少なくとも１つのＰＲＢペアは、制御チャネル送信のために割り振られない少なくとも１つのリソース要素を備える、Ｃ１８に記載の装置。
［Ｃ２９］
少なくとも１つのプロセッサに結合されたメモリを備え、
前記少なくとも１つのプロセッサは、
１つまたは複数の制御チャネルを送信するための少なくとも１つの物理リソースブロック（ＰＲＢ）ペアの複数のリソース要素を識別することと、
前記複数の識別されたリソース要素を１つまたは複数のグループに分割することと、
前記１つまたは複数のグループのうちの１つの該当グループにおける複数のリソース要素を１つのトラフィック対パイロット比（ＴＰＲ）に制限することとを行うように構成された、ワイヤレス通信のための装置。
［Ｃ３０］
コンピュータ可読媒体に記憶されたコンピュータプログラム製品であって、
１つまたは複数の制御チャネルを送信するための少なくとも１つの物理リソースブロック（ＰＲＢ）ペアの複数のリソース要素を識別することと、
前記複数の識別されたリソース要素を１つまたは複数のグループに分割することと、
前記１つまたは複数のグループのうちの１つの該当グループにおける複数のリソース要素を１つのトラフィック対パイロット比（ＴＰＲ）に制限することとを行うためのコードを備える、コンピュータプログラム製品。
【図１】
0006312802.tif 000002
【図２】
0006312802.tif 000003
【図３】
0006312802.tif 000004
【図４】
0006312802.tif 000005
【図５】
0006312802.tif 000006
【図６】
0006312802.tif 000007
【図７】
0006312802.tif 000008
【図８】
0006312802.tif 000009
【図９】
0006312802.tif 000010
【図１０Ａ】
0006312802.tif 000011
【図１０Ｂ】
0006312802.tif 000012
【図１１Ａ】
0006312802.tif 000013
【図１１Ｂ】
0006312802.tif 000014
【図１２】
0006312802.tif 000015
【図１３】
0006312802.tif 000016
【図１４】
0006312802.tif 000017
【図１５】
0006312802.tif 000018